(57)【要約】【課題】ワークである画像形成装置の基体等のどこの作業位置でも固定またはその固定状態の解除が容易で部品取り付けなどの作業性や作業品質も向上して、小型で簡単の構造で持ち運びも容易で汎用性にも優れている作業台装置、及びその作業台装置に載置して組み立てる画像形成装置を提供する。【解決手段】載置するワーク（Ｗ）を最適な作業位置に移動する３６０度のどの位置や時計方向または反時計方向にも回転自在の着脱可能な回転手段１と、回転手段１を装着する固定位置に位置決めする位置決め手段２と、位置決め手段２と対向して回転手段１の回転を載置する前記ワーク（Ｗ）の最適な作業位置に止めて停止したり停止を解除する回転固定手段３を備える。【選択図】図１
2007276085.tif 000002
【特許請求の範囲】
【請求項１】
ワークを載置して正逆両方向へ回転、及び回転停止することにより任意の位置にワークを移動させる回転手段と、前記回転手段を着脱自在に装着して固定位置に位置決めする位置決め手段と、前記位置決め手段と対向して前記回転手段を前記ワークの最適な作業位置に停止させたり、停止状態を解除する回転固定手段と、を備えることを特徴とする作業台装置。
【請求項２】
請求項１に記載の作業台装置において、前記回転手段は、前記ワークを載置する円板形状の１個、または大きさが異なる交換可能な複数個の回転作業台を備えることを特徴とする作業台装置。
【請求項３】
請求項１又は２に記載の作業台装置において、前記回転手段の回転軸は、該回転軸を支持する装着溝を備えた基盤により支持されることを特徴とする作業台装置。
【請求項４】
請求項３に記載の作業台装置において、前記回転手段の裏面から前記回転軸を出没させる出没部材を備えることを特徴とする作業台装置。
【請求項５】
請求項３又は４に記載の作業台装置において、前記位置決め手段は、前記基盤の一方の端に前記回転手段を固定するブラケットを備えることを特徴とする作業台装置。
【請求項６】
請求項５に記載の作業台装置において、前記基盤は長方形で、横幅が前記回転手段よりも長く、縦幅が前記回転手段よりも短いことを特徴とする作業台装置。
【請求項７】
請求項５又は６に記載の作業台装置において、前記基盤は、載置する置き台を備えることを特徴とする作業台装置。
【請求項８】
請求項７に記載の作業台装置において、前記置き台は、前記ワークを作業位置の高さに合わせる高さ調整手段を備えることを特徴とする作業台装置。
【請求項９】
請求項１乃至８のいずれか一項に記載の作業台装置において、前記回転固定手段は、前記位置決め手段と対向して前記回転手段の外周に当接してその回転を止めたり、解除するストッパーを備えることを特徴とする作業台装置。
【請求項１０】
請求項１乃至９のいずれか一項に記載の作業台装置において、前記回転固定手段は、前記ストッパーを押しつける方向に不勢力を付与するスプリングを備えることを特徴とする作業台装置。
【請求項１１】
請求項１乃至１０のいずれか一項に記載の作業台装置において、前記回転固定手段は、前記回転手段の固定状態を解除する解除手段を備えることを特徴とする作業台装置。
【請求項１２】
請求項１１に記載の作業台装置において、前記解除手段は、前記ストッパーを連結して引っ張るワイヤーを備えることを特徴とする作業台装置。
【請求項１３】
請求項１１又は１２に記載の作業台装置において、前記解除手段は、前記ワイヤーを介して前記ストッパーを開閉して停止したり停止を解除する開閉レバーを備えることを特徴とする作業台装置。
【請求項１４】
請求項１乃至１３のいずれか一項に記載の作業台装置において、前記回転固定手段は、前記回転手段の大きさによりストッパー本体の固定する位置を調整する固定位置調整機構を備えることを特徴とする作業台装置。
【請求項１５】
請求項１４に記載の作業台装置において、前記固定位置調整機構は、前記基盤に形成した調整溝に嵌入してストッパー本体の固定する位置を調整する調整機構螺子を備えることを特徴とする作業台装置。
【請求項１６】
請求項１乃至１５のいずれか一項に記載の作業台装置において、前記回転手段に載置する前記ワークは、最適な作業位置で部品を組み付ける画像形成装置またはそのユニット及びプリント基板の基体を備えることを特徴とする作業台装置。
【請求項１７】
被記録媒体に記録画像を形成する画像形成装置において、被記録媒体に記録画像を形成する画像形成ユニットと、前記請求項１乃至１６のいずれか一項に記載の前記作業台装置に載置して組み付けられる部品またはそのユニット及びプリント基板を備えることを特徴とする画像形成装置。
【請求項１８】
請求項１７に記載の画像形成装置において、前記画像形成ユニットは、電子写真方式の作像プロセスで被記録媒体にトナーの記録画像を形成することを特徴とする画像形成装置。
【発明の詳細な説明】
【技術分野】
【０００１】
本発明は、作業台装置、及びその作業台装置に載置して組み立てる画像形成装置に関する。詳しくは、載置するワークを回転して最適な作業位置に止めて固定したり、固定状態を解除する作業台装置、及びその作業台装置に載置して組み立てる印刷装置、静電記録方式や電子写真方式などのプロセスでトナーの記録画像を形成する複写機、ファクシミリ装置、プリンタあるいはこれらの複合機等の画像形成装置に関する。
【背景技術】
【０００２】
従来の作業台装置として、ワークの着脱、加工、組み立てあるいは検査などのために円周上に等間隔で複数のステーションを備え、回転テーブルに等間隔で設けたジグなどにワークを固定し、順次ステーションに割出し送りをして加工、組立及び検査などを行うものが提案されている（特許文献１を参照）。
【０００３】
また、搬送手段によりほぼ水平方向へ搬送される被加工物を加工装置の下に一時的に停止して位置決めをする被加工物位置決め装置としては、下部に複数の位置決め穴を有する被加工物を略水平方向へ搬送する搬送手段と、上記搬送手段により搬送される被加工物の搬送経路に一時的に突出して被加工物をその位置に停止させるストッパー手段と、上記搬送手段の下方に配置されている上記ストッパー手段で止められた被加工物の上記位置決め穴に嵌入する係止保持部材を有し、被加工物の位置決めをする上下動可能な位置決め手段と、上記ストッパー手段及び上記位置決め手段とユニット化され、該位置決め手段を上下動させる昇降手段と、上記位置決め手段を水平方向に移動させる水平移動手段と、上記搬送手段の上方であって、上記位置決め手段に対向した位置に配置され、被加工物を加工する加工装置と、上記加工装置の下方であって上記搬送経路と上記位置決め手段との間に配置されている被加工物受台とからなり、上記ストッパー手段は被加工物を上記加工装置の下位に一時的に停止させ、上記位置決め手段はこれが上昇したとき、上記係止保持部材が上記位置決め穴に嵌入することにより被加工物を係止保持して被加工物の位置を決め、かつ、この状態で被加工物を水平方向へ移動して被加工物を異なる所定位置に順次配置することも知られている（特許文献２を参照）。
【０００４】
近年、画像形成装置などの製品には高品質化と多品種少量生産化が多く求められる傾向にあり、一人もしくは少人数の作業者が一つのワークに部品の組み付けや調整などの作業を行って、一つの製品やユニットの組み立て開始から完了までを一貫して行うというセル生産方式が採用されつつある。
例えば、円形テーブルを生産ラインの途中に配置して、円形テーブルの周りに複数の作業者を配置し、円形テーブルを回転しつつ、円形テーブルと生産ライン間で部品等を授受し、円形テーブルの外周縁近傍に部品等を載せて搬送し、各作業者が円形テーブルの外周縁近傍に載せられた部品等の組み立てを行うことも提案されている（特許文献３を参照）。
【０００５】
作業台は、上盤部と、上盤部を支持する脚部を備えている。上盤部は、半完成品や部品を搬送するための第１コンベアベルトと、半完成品や部品を第１コンベアベルトの搬送方向と略直行する方向で搬送する第２コンベアベルトと、第１コンベアベルト上に配設された作業パレットとを備え、更に３つの載置領域を有している。作業者は、作業パレットの手前に立ち、第１及び第２コンベアベルトにより搬入されて来た半完成品や部品を組み立て、半完成品を第１及び第２コンベアベルトにより搬出させるようにして、作業能率を向上させ、占有面積を狭くすることも提案されている（特許文献４を参照）。
【０００６】
さらにワークセンタリング・クランプ装置は、回転テーブルに回転対称に配列されたユニットのクランプ機構を有し、各クランプ機構のリンクは回転テーブルに対して平行に回転し、クランパはリンクの一端に設けられてレジスト板が設置される領域の外周付近に配置され、ウエイトはラジアル方向にのみ移動できる一定長さの中空形状をもつウエイトガイド内に配置され、リンクガイドの開口からリンクのクランパのない一端が挿入され、ウエイトがリンクを回転させるスライダとして働き、スプリングはウエイトに対してラジアル方向の圧力を加えるようにして、真空中で電磁気的または機械的な外力を用いずにワークと回転テーブルと回転中心を一致させてワークを安定して保持しながら正確に電子ビーム露光することも提案されている（特許文献５を参照）。
【０００７】
しかし、従来の作業台装置は、作業台上のワークに部品取り付けなどの作業時の位置が予め決められた、例えば、回転角度が９０度または４５度などの限られた固定位置でないと固定することが困難であって作業性や作業品質も悪く、その構造が複雑で大型となり持ち運びも困難で汎用性も低く劣っていた。
【特許文献１】実公昭６３−７４９０号公報
【特許文献２】特公平４−６６６６５号公報
【特許文献３】特開２００１−２７０６２１公報
【特許文献４】特開２００５−７５１０公報
【特許文献５】特開２００５−２０３７２６公報
【発明の開示】
【発明が解決しようとする課題】
【０００８】
従来の作業台装置は、作業台上のワークである画像形成装置の基体等に部品取り付けなどの作業時の位置が予め決められた、例えば、回転角度が９０度または４５度などの限られた固定位置でないと固定することが困難であって作業性や作業品質も悪く、その構造が複雑で大型となり持ち運びも困難で汎用性も低いと言う問題が発生していた。
そこで本発明の課題は、このような問題点を解決するものである。即ち、ワークを任意の位置に停止させたり、停止を解除させることが容易で、部品取り付けなどの作業性や作業品質も向上して、小型で簡易な構造で持ち運びも容易で汎用性にも優れている作業台装置、及びその作業台装置に載置して組み立てる画像形成装置を提供することを目的とする。
【課題を解決するための手段】
【０００９】
上記目的を達成するために、請求項１の発明は、ワークを載置して正逆両方向へ回転、及び回転停止することにより任意の位置にワークを移動させる回転手段と、前記回転手段を着脱自在に装着して固定位置に位置決めする位置決め手段と、前記位置決め手段と対向して前記回転手段を前記ワークの最適な作業位置に停止させたり、停止状態を解除する回転固定手段と、を備えることを特徴とする。
請求項２の発明は、請求項１に記載の作業台装置において、前記回転手段は、前記ワークを載置する円板形状の１個、または大きさが異なる交換可能な複数個の回転作業台を備えることを特徴とする。
【００１０】
請求項３の発明は、請求項１又は２に記載の作業台装置において、前記回転手段の回転軸は、該回転軸を支持する装着溝を備えた基盤により支持されることを特徴とする。
請求項４の発明は、請求項３に記載の作業台装置において、前記回転手段の裏面から前記回転軸を出没させる出没部材を備えることを特徴とする。
請求項５の発明は、請求項３又は４に記載の作業台装置において、前記位置決め手段は、前記基盤の一方の端に前記回転手段を固定するブラケットを備えることを特徴とする。
請求項６の発明は、請求項５に記載の作業台装置において、前記基盤は長方形で、横幅が前記回転手段よりも長く、縦幅が前記回転手段よりも短いことを特徴とする。
【００１１】
請求項７の発明は、請求項５又は６に記載の作業台装置において、前記基盤は、載置する置き台を備えることを特徴とする。
請求項８の発明は、請求項７に記載の作業台装置において、前記置き台は、前記ワークを作業位置の高さに合わせる高さ調整手段を備えることを特徴とする。
請求項９の発明は、請求項１乃至８のいずれか一項に記載の作業台装置において、前記回転固定手段は、前記位置決め手段と対向して前記回転手段の外周に当接してその回転を止めたり、解除するストッパーを備えることを特徴とする。
請求項１０の発明は、請求項１乃至９のいずれか一項に記載の作業台装置において、前記回転固定手段は、前記ストッパーを押しつける方向に不勢力を付与するスプリングを備えることを特徴とする。
【００１２】
請求項１１の発明は、請求項１乃至１０のいずれか一項に記載の作業台装置において、前記回転固定手段は、前記回転手段の固定状態を解除する解除手段を備えることを特徴とする。
請求項１２の発明は、請求項１１に記載の作業台装置において、前記解除手段は、前記ストッパーを連結して引っ張るワイヤーを備えることを特徴とする。
請求項１３の発明は、請求項１１又は１２に記載の作業台装置において、前記解除手段は、前記ワイヤーを介して前記ストッパーを開閉して停止したり停止を解除する開閉レバーを備えることを特徴とする。
請求項１４の発明は、請求項１乃至１３のいずれか一項に記載の作業台装置において、前記回転固定手段は、前記回転手段の大きさによりストッパー本体の固定する位置を調整する固定位置調整機構を備えることを特徴とする。
【００１３】
請求項１５の発明は、請求項１４に記載の作業台装置において、前記固定位置調整機構は、前記基盤に形成した調整溝に嵌入してストッパー本体の固定する位置を調整する調整機構螺子を備えることを特徴とする。
請求項１６の発明は、請求項１乃至１５のいずれか一項に記載の作業台装置において、前記回転手段に載置する前記ワークは、最適な作業位置で部品を組み付ける画像形成装置またはそのユニット及びプリント基板の基体を備えることを特徴とする。
請求項１７の発明は、被記録媒体に記録画像を形成する画像形成装置において、被記録媒体に記録画像を形成する画像形成ユニットと、前記請求項１乃至１６のいずれか一項に記載の前記作業台装置に載置して組み付けられる部品またはそのユニット及びプリント基板を備えることを特徴とする。
請求項１８の発明は、請求項１７に記載の画像形成装置において、前記画像形成ユニットは、電子写真方式の作像プロセスで被記録媒体にトナーの記録画像を形成することを特徴とする。
【発明の効果】
【００１４】
本発明によれば、回転手段上に載置したワークをどこの作業位置でも停止させたり、停止を解除することが容易で部品取り付けなどの作業性や作業品質も向上して、小型、且つ簡易な構造で持ち運びも容易で汎用性にも優れている作業台装置、及びその作業台装置に載置して組み立てる画像形成装置を提供することが出来る。
【発明を実施するための最良の形態】
【００１５】
以下に、本発明の実施形態を、図面を参照して詳細に説明する。
図１は本発明の実施の形態例にかかる作業台装置１０の基本構成を示す平面図、図２は本発明の実施の形態例にかかる作業台装置１０から回転手段１を外した平面図、図３は本発明の実施の形態例にかかる作業台装置１０の基本構成を示す正面図、図４は本発明の実施の形態例にかかる作業台装置１０から回転手段１を外した正面図、図５は本発明の実施の形態例にかかる作業台装置１０の回転手段１の拡大断面図である。
図１乃至図５において、載置するワークを回転（回動）して最適な作業位置に止めて固定したり固定を解除する作業台装置１０は、載置するワーク（Ｗ）を最適な作業位置に移動する手段であり、且つ３６０度の全方位、及び矢印（Ａ）方向の時計方向または矢印（Ｂ）方向の反時計方向にも回転自在である着脱可能な回転手段１と、回転手段１を固定位置に位置決めする位置決め手段２と、位置決め手段２と対向して回転手段１をワーク（Ｗ）の部品取り付けなどの最適な作業位置に止めて固定したり固定状態を解除する回転固定手段３と、を備えている。
【００１６】
回転手段１は、部品を組み付けるワーク（Ｗ）（この例では、画像形成装置またはそのユニット及びプリント基板などの基体）１００を載置する円板形状の回転作業台１１であり、大きさが異なる複数個の回転作業台１１を必要に応じて、大小に関係なく容易に交換可能で装着できて汎用性にも優れている。
回転作業台１１の裏面から出没する回転軸１２は、装着時に基盤４に形成する装着溝４０に嵌入して回転中心となる。
【００１７】
図５に図示するように回転軸１２は、基盤４の装着溝４０に嵌入する回転作業台１１の装着時に回転作業台１１に穿った穴部の裏面から自重または出没部材（弾性部材）１３により所定の弾性力で強制的に確実に突出するが、装着溝４０から外して床や保管棚等に格納した時には回転作業台１１の自重で裏面から出没部材１３の弾性力に抗して埋没するようになっている。
従って、回転作業台１１の固定位置に装着する作業が容易となるばかりでなく、ワーク（Ｗ）の最適な作業位置に止めて固定することも確実に行われ、回転作業台１１の格納時も回転軸１２で不安定な姿勢になることもなく安全に保管することができる。
基盤４は長方形であり、横幅（Ｄ）が装着する回転作業台１１の大きさよりも長く、縦幅（ｄ）が回転作業台１１の大きさより短く、一方の端（左端）に位置決め手段２のブラケット２０が固定されているから、作業台装置１０の全体が小型で簡単の構造となり持ち運びも容易である。
【００１８】
回転固定手段３のストッパー３０は、軸芯３３とその軸芯３３が内壁を摺動する中空軸３４を介して基盤４に固定されているストッパー本体３２に保持されて、位置決め手段２のブラケット２０と対向して回転手段１である回転作業台１１の外周面を押し付けて、載置する精密機械装置である画像形成装置またはそのユニット及びプリント基板などのワーク（Ｗ）を３６０度の範囲のどの位置であっても部品取り付けなどの最適な作業位置に回転を止めて停止したり停止を解除する。
回転固定手段３のスプリング３１は、ストッパー３０と中空軸３４間のストッパー３０と一体の軸芯３３の外周に装着されて、ストッパー３０を矢印（Ｃ）方向の押しつけ方向に付勢して、回転作業台１１上に載置されるワーク（Ｗ）を３６０度のどの位置であっても部品取り付けなどのための最適な作業位置に回転を止めて確実に固定する（停止させる）ようになっている。
解除手段５は、ストッパー３０と一体の軸芯３３の後端に連結して引っ張るワイヤー５０と、ワイヤー５０を介してストッパー３０を開閉して回転固定手段３による回転作業台１１の停止またはその停止状態を解除する開閉レバー５１を備えている。
【００１９】
図６は本発明の実施の形態例にかかる作業台装置１０に小さな回転手段１を装着した状態を示す下面図、図７は本発明の実施の形態例にかかる作業台装置１０から小さな回転手段１を外した状態を示す下面図、図８は本発明の実施の形態例にかかる作業台装置１０に大きな回転手段１を装着した状態を示す下面図、図９は本発明の実施の形態例にかかる作業台装置１０から大きな回転手段１を外した状態を示す下面図である。
図６乃至図９において、回転固定手段３は、回転手段１である回転作業台１１の大きさによりストッパー本体３２を基盤４に固定する位置を調整する固定位置調整機構６を備えている。固定位置調整機構６は、基盤４に形成した平行な２つの調整溝４１、４２に嵌入してストッパー本体３２の基盤４に固定する位置を調整して固定する調整機構螺子６０、６１、６１、６３を備えている。
【００２０】
径寸法が小さな回転作業台１１を装着する場合は、図６と図７に図示するように、固定位置調整機構６の調整機構螺子６０、６１、６１、６３を緩めて、基盤４に形成した調整溝４１、４２に倣ってストッパー本体３２を図示の矢印（Ｄ）方向に移動して調整する所定距離で止めて、その位置で調整機構螺子６０、６１、６１、６３を締め付けて、小さな回転作業台１１を装着する場合の調整が簡単に終了する。
他方、大きな回転作業台１１を装着する場合は、図８と図９に図示するように、同様に固定位置調整機構６の調整機構螺子６０、６１、６１、６３を緩めて、基盤４に形成した調整溝４１、４２に倣ってストッパー本体３２を図示の矢印（Ｅ）方向に移動して調整する所定距離で止めて、その位置で調整機構螺子６０、６１、６１、６３を締め付けて、大きな回転作業台１１を装着する場合の調整が簡単に終了する。
従って、回転作業台１１の大小の大きさに関係なく使用できる汎用性にも優れている作業台装置１０を提供することが出来る。
【００２１】
図１０は、本発明の実施の形態例にかかる作業台装置１０の基盤４を置き台２１に載置した状態を示す正面図である。
図１１は、本発明の実施の形態例にかかる作業台装置１０の基盤４を置き台２１に載置した状態を示す平面図である。
図１０と図１１において、作業台装置１０は、回転作業台１１に載置するワーク（Ｗ）を回転して最適な作業位置に止めて固定し、回転作業台１１上のワーク（Ｗ）に部品取り付けなどの作業を行ったり、固定状態を解除する場合には、基盤４を置き台２１に載置する。
【００２２】
解除手段５は、ワイヤー５０を床に届く充分な長さにして作業者の足元に配置して、回転手段１である回転作業台１１を作業者の作業中の手を止めることなく、足（靴底）で停止したり停止を解除することが出来る。
置き台２１は、脚２３に設けた調整手段２２としての雄螺子または雌螺子の回転によって、ワーク（Ｗ）の画像形成装置またはそのユニット及びプリント基板の基体１００を最も適切な作業位置の高さに合わせて部品取り付けなどの作業が行われるので、さらに作業性や作業品質も向上する作業台装置１０を提供することが出来る
作業台装置１０の設置手順は、まず、所定の作業位置に配置された置き台２１上に基盤４を載置して、基盤４の上に回転手段１である回転作業台１１を装着溝４０に回転軸１２を嵌入して置き、位置決め手段２のブラケット２０に突き当て、回転作業台１１を装着する固定位置に位置決めする。
【００２３】
次に、回転作業台１１の大きさに合わせて固定位置調整機構６の調整機構螺子６０、６１、６１、６３を緩めてストッパー本体３２の位置を調整した後に、固定位置調整機構６の調整機構螺子６０、６１、６１、６３でストッパー本体３２を基盤４に固定する。固定位置調整機構６で調整してストッパー本体３２を固定してから、解除手段５の開閉レバー５１を図示の矢印（Ｆ）方向に作動させた際に回転作業台１１が回転するか、確認する。
回転作業台１１の固定圧が弱い時には、再度、固定位置調整機構６の調整機構螺子６０、６１、６１、６３を緩めてストッパー本体３２を図示の矢印（Ｇ）方向の回転作業台１１の方向に寄せるか、スプリング３１の押しつけ方向の付勢力を微調整して調整する。
又、回転作業台１１の固定圧が強い時には、再度、固定位置調整機構６の調整機構螺子６０、６１、６１、６３を緩めてストッパー本体３２を図示の矢印（Ｇ）の逆方向の回転作業台１１の方向から離すか、スプリング３１の押しつけ方向の付勢力を微調整して調整する事でワーク（Ｗ）に組立部品が取り付けやすい位置で固定し快適な作業が行える。
【００２４】
作業台装置１０の回転作業台１１の上に載置されたワーク（Ｗ）としての画像形成装置またはそのユニット及びプリント基板の基体１００に一個または複数個の部品を取り付ける組立の作業が、次のように作業性や作業品質も向上して行われる。
例えば、ワーク（Ｗ）としての基体１００の左側に部品を取り付けた後に、基体１００の右側に部品を取り付ける例で説明する。
まず、ワーク（Ｗ）の基体１００の左側に部品を取り付け後に、解除手段５の開閉レバー５１を図示の矢印（Ｆ）の逆方向に作動させて、回転固定手段３のストッパー３０を開いて解除、即ち、回転作業台１１の外周面とストッパー３０の先端の隙間を開ける。
次に、ワーク（Ｗ）の基体１００の右側に部品を取り付ける最適位置まで回転作業台１１を回転させて、解除手段５の開閉レバー５１を図示の矢印（Ｆ）方向に作動させて、回転固定手段３のストッパー３０を閉じて、即ち、回転作業台１１の外周面とストッパー３０の先端の隙間を無くして回転作業台１１を部品の取り付ける最適位置に止めて固定した後に部品を取り付ける。この繰り返しを行って、図１２に図示する画像形成装置２００またはそのユニット及びプリント基板の組立作業が遂行される。
【００２５】
図１２は、本発明の実施の形態例にかかる作業台装置１０に載置して部品またはユニット及びプリント基板の組み付けが行われる画像形成装置２００の要部構成を示す正面図である。
図１２において、作業台装置１０に載置して部品またはユニット及びプリント基板の組み付けが行われる画像形成装置２００は、被記録媒体（Ｐ）に画像を形成する画像形成ユニット基体１０１に感光体ドラム２１０等が組み付けられた画像形成ユニット２０１と、を備え、画像形成ユニット２０１は被記録媒体給送ユニット基体１０３に給紙カセット２２２の案内レール等が組み付けられた記録媒体給送ユニット２０３の上に保持され、画像形成ユニット２０１の上部には原稿画像読取装置基体１０２に光電変換素子２２１や画像処理回路が形成されたプリント基板等が組み付けられた原稿画像読取装置２０２が配置されている。
【００２６】
画像形成ユニット２０１は、電子写真方式の作像プロセスで利便性や汎用性に優れ高速で高品質のトナーの記録画像を被記録媒体（Ｐ）の記録用紙上に形成するようになっている。
原稿画像読取装置２０２において、作業台装置１０に載置して原稿画像読取装置基体１０２に組み付けられた原稿セット部２２０にセットされた原稿（O）の原稿画像が光学系を介して光電変換素子２２１のＣＣＤで読み取りが行われる。光電変換素子２２１や画像処理回路が形成されたプリント基板は、螺子部材２２３によって作業台装置１０に載置した原稿画像読取装置基体１０２に容易に正確な位置に確実に組み付けられて安定していて、低コストで締結されて、常に高品質の原稿画像の読み取りが行われる。
光電変換素子２２１によって読み取られた高品質の原稿画像は、書き込み装置２１２によって画像形成ユニット２０１の感光体ドラム２１０上に結像される。
【００２７】
感光体ドラム２１０は、螺子部材２２３によって回転軸２０４に緩みを防止し、位置決めが常に安定して低コストで締結されている。更に、感光体ドラム２１０が締結された回転軸２０４は、螺子部材２２３によって画像形成ユニット基体１０１に容易に正確な位置に確実に組み付けられて安定していて、低コストで締結されている軸受２０５で回転自在に保持されている。
従って、感光体ドラム２１０は、高精度の回転状態が維持されて高品質の画像を形成することが出来る。
螺子部材２２３によって高精度の回転状態が維持されて画像形成ユニット基体１０１に確実に組み付けられ感光体ドラム２１０は、図示の矢印（Ｈ）方向の時計方向に回転し、この時帯電器２１１によって表面を一様に帯電され、その帯電面に書き込み装置２１２のレーザビームにより原稿画像が形成される。これによって感光体ドラム２１０上に静電潜像が形成され、この静電潜像は螺子部材２２３によって作業台装置１０に載置した画像形成ユニット基体１０１に正確な位置に確実に組み付けられた現像装置２１３によってトナー像として可視像化される。
【００２８】
一方、被記録媒体給送ユニット２０３から被記録媒体（Ｐ）の記録用紙が感光体ドラム２１０に向けて給送され、螺子部材２２３によって作業台装置１０に載置した画像形成ユニット基体１０１に正確な位置に確実に組み付けられた転写器２１４によって感光体ドラム２１０上のトナー像が被記録媒体（Ｐ）に転写される。
この被記録媒体（Ｐ）は螺子部材２２３によって作業台装置１０に載置した画像形成ユニット基体１０１に組み付けられた定着装置２１５を通り、表面に転写されたトナーの記録画像が被記録媒体（Ｐ）上に定着され、ついで被記録媒体（Ｐ）は螺子部材２２３によって作業台装置１０に載置した画像形成ユニット基体１０１に組み付けられた排出トレイ２１６に排出されて収納される。感光体ドラム２１０上に残留するトナーは、クリーニングユニット２１７によって除去されて次工程に備えられる。
従って、作業台装置１０によって、利便性や汎用性に優れ高速で高品質の画像を形成する画像形成装置２００またはそのユニット及びプリント基板を低コストで組み付けて提供することが出来る。
【図面の簡単な説明】
【００２９】
【図１】本発明の実施の形態例にかかる作業台装置の基本構成を示す平面図である。
【図２】本発明の実施の形態例にかかる作業台装置から回転手段を外した平面図である。
【図３】本発明の実施の形態例にかかる作業台装置の基本構成を示す正面図である。
【図４】本発明の実施の形態例にかかる作業台装置から回転手段を外した正面図である。
【図５】本発明の実施の形態例にかかる作業台装置１０の回転手段１の拡大断面図である。
【図６】本発明の実施の形態例にかかる作業台装置に小さな回転手段を装着した状態を示す下面図である。
【図７】本発明の実施の形態例にかかる作業台装置から小さな回転手段を外した状態を示す下面図である。
【図８】本発明の実施の形態例にかかる作業台装置に大きな回転手段を装着した状態を示す下面図である。
【図９】本発明の実施の形態例にかかる作業台装置から大きな回転手段を外した状態を示す下面図である。
【図１０】本発明の実施の形態例にかかる作業台装置の基盤を置き台に載置した状態を示す正面図である。
【図１１】本発明の実施の形態例にかかる作業台装置の基盤を置き台に載置した状態を示す平面図である。
【図１２】本発明の実施の形態例にかかる作業台装置に載置して部品またはユニット及びプリント基板の組み付けが行われる画像形成装置の要部構成を示す正面図である。
【符号の説明】
【００３０】
１  回転手段
２  位置決め手段
３  回転固定手段
４  基盤
５  解除手段
６  固定位置調整機構
１０  作業台装置
１１  回転作業台
１２  回転軸
１３  出没部材
２０  ブラケット
２１  置き台
２２  高さ調整手段
２３  脚
３０  ストッパー
３１  スプリング
３２  ストッパー本体
３３  軸芯
３４  中空軸
４０  装着溝
４１、４２  調整溝
５０  ワイヤー
５１  開閉レバー
６０、６１、６２、６３  調整機構螺子
１００  基体
１０１  画像形成ユニット基体
１０２  原稿画像読取装置基体
１０３  被記録媒体給送ユニット基体
２００  画像形成装置
２０１  画像形成ユニット
２０２  原稿画像読取装置
２０３  被記録媒体給送ユニット
２０４  回転軸
２０５  軸受
２１０  感光体ドラム
２１１  帯電器
２１２  書き込み装置
２１３  現像装置
２１４  転写器
２１５  定着装置
２１６  排出トレイ
２１７  クリーニングユニット
２２０  原稿セット部
２２１  光電変換素子
２２２  給紙カセット
２２３  螺子部材
【図１】
2007276085.tif 000003
【図２】
2007276085.tif 000004
【図３】
2007276085.tif 000005
【図４】
2007276085.tif 000006
【図５】
2007276085.tif 000007
【図６】
2007276085.tif 000008
【図７】
2007276085.tif 000009
【図８】
2007276085.tif 000010
【図９】
2007276085.tif 000011
【図１０】
2007276085.tif 000012
【図１１】
2007276085.tif 000013
【図１２】
2007276085.tif 000014